【手続補正書】
【提出日】平成22年10月28日(2010.10.28)
【手続補正１】
【補正対象書類名】特許請求の範囲
【補正対象項目名】全文
【補正方法】変更
【補正の内容】
【特許請求の範囲】
【請求項１】
掘削システムであって、
井戸中心部を有する掘削デッキと、
掘削デッキとともに配備された掘削構造と、
井戸中心部を有して、掘削構造に配備されて、第１のチューブ状体を井戸中心部に向けて、略水平位置から略垂直位置へ前進させる１次チューブ状体前進ステーションと、
第２のチューブ状体が略垂直位置にある間に、第２のチューブ状体を第３のチューブ状体に接続するスタンドアームとを具え、
スタンドアームは、第１のチューブ状体が井戸中心部に移動する際に、第１のチューブ状体がスタンドアームを邪魔しないように動作するように構成されている、掘削システム。
【請求項２】
更に、前記１次チューブ状体前進ステーションの上方に位置する第１のチューブ状体ラッキングステーションと、
スタンドアームの隣に位置して、スタンドアームからのチューブ状体を受け入れる第２のチューブ状体ラッキングステーションとを具える、請求項１に記載のシステム。
【請求項３】
更に、スタンドアームの隣に位置して、前記第２のチューブ状体をスタンドアームに案内する案内経路アームを具え、
案内経路アームは、井戸中心部と交差する第２の面に略平行な第１の面内にて十分に動作するように構成された、請求項１に記載のシステム。
【請求項４】
１次チューブ状体前進ステーションは、トップドライブを更に具えている、請求項１に記載のシステム。
【請求項５】
案内経路アームは、前記第２のチューブ状体を略水平位置からスタンドアームに隣接した略垂直位置へ案内するように構成され、前記スタンドアームと前記案内経路アームは、１次チューブ状体前進ステーションとは独立して作動するように構成された、請求項３に記載のシステム。
【請求項６】
更に、前記スタンドアームに隣接して位置して、前記第２のチューブ状体の一部を受け入れる掘削デッキ内の準備孔と、
第２のチューブ状体ラッキングステーションと井戸中心部との間で、第２のチューブ状体を動かすように構成されたブリッジラッカークレーンとを具え、
前記スタンドアームは準備孔上方の略垂直位置内に第２のチューブ状体を位置させるように構成され、
第２のチューブ状体ラッキングステーションは、第２のチューブ状体を略垂直位置に保持し、その一方、前記１次チューブ状体前進ステーションは、独立し且つ同時に第１のチューブ状体を前記井戸中心部に前進させるように構成された、請求項２に記載のシステム。
【請求項７】
ブリッジラッカークレーンは、前記第２のチューブ状体を第１のチューブ状体ラッキングステーションと第２のチューブ状体ラッキングステーションとの間で動かすように構成された、請求項６に記載のシステム。
【請求項８】
更に、井戸中心部へ第２のチューブ状体を動かすように構成されたブリッジラッカークレーンを具え、
前記スタンドアームはブリッジラッカークレーンとは独立して作動可能である、請求項１に記載のシステム。
【請求項９】
スタンドアームは、複数のチューブ状体を組み立てるように構成され、前記準備孔内に受け入れられる複数のチューブ状体の１つは、組み立てられたチューブ状体の頂部上にある、請求項６に記載のシステム。
【請求項１０】
準備孔は、第２のチューブ状体を準備孔に対して中心に位置させるセントラライザーを含む、請求項６に記載のシステム。
【請求項１１】
更に、第１のチューブ状体の端部を持ち上げる油圧持上げ機を具える、請求項１に記載のシステム。
【請求項１２】
更に、油圧駆動されるセパレータを具えたインデキシング式アームアセンブリを具え、該アームアセンブリは、案内経路アームによって把持されるチューブ状体を分離させるように構成された、請求項３に記載のシステム。
【請求項１３】
チューブ状体を組み立てる方法であって、
(a) 掘削デッキ内の井戸中心部を通ってボアホールを掘削する工程と、
(b) 井戸中心部を通って少なくとも第１のチューブ状体をボアホールの一部に取り付ける工程と、
(c) 工程(a)と工程(b)が実行される時間の少なくとも一部の時間にて、
(i) 第２のチューブ状体を、井戸中心部を含む略垂直な第２の面と交差しない略垂直な第１の面内にて動かす工程と、
(ii) 第２のチューブ状体を動かす工程の後で、準備孔内の掘削デッキの下方の略垂直な位置にある間に、第２のチューブ状体の一部を低くする工程を有し、
工程(c)は工程(a)及び(b)とは独立して実行され、工程(a)及び(b)の一部と同時に実行される方法。
【請求項１４】
工程(b)と工程(c)は略同時に完了する、請求項１３に記載の方法。
【請求項１５】
更に、第２のチューブ状体を動かす工程中に、第１の面内にて第２のチューブ状体を十分に回転させる工程を具える、請求項１３に記載の方法。
【請求項１６】
更に、第１の面内にて、複数のチューブ状体をスタンドアームに十分に接続する工程と、
スタンドアームに接続されたチューブ状体を、チューブ状体ラッキングステーションに持ち上げる工程を有する、請求項１３に記載の方法。
【請求項１７】
更に、接続されたチューブ状体をチューブ状体ラッキングステーションから、井戸中心部と略一直線上にある位置に動かす工程を含む、請求項１６に記載の方法。
【請求項１８】
接続されたチューブ状体を動かす工程は、スタンドアームとは独立して作動するように構成されたブリッジラッカークレーンによって実行される、請求項１７に記載の方法。
【請求項１９】
更に、第２のチューブ状体の一部を低くする工程中に、第２のチューブ状体を前記準備孔の中心に位置させる、請求項１３に記載の方法。
【請求項２０】
更に、第１のチューブ状体を井戸中心部に移動させ、その一方、油圧リフタを用いて第１のチューブ状体の端部を上げる工程を含む、請求項１３に記載の方法。
【請求項２１】
更に、第２のチューブ状体を動かす工程中に、インデキシング式アームアセンブリを用いて、第２のチューブ状体を隔離させる工程を有する、請求項１３に記載の方法。
【請求項２２】
工程(b)はトップドライブによって実行される、請求項１３に記載の方法。
【請求項２３】
回転する工程は、案内経路アームによって実行される、請求項１５に記載の方法。
【請求項２４】
掘削システムであって、
井戸中心部を有する掘削デッキと、
掘削デッキとともに配備された掘削構造と、
第１のチューブ状体を、略水平位置から井戸中心部上方の略垂直位置へ前進させる１次チューブ状体前進ステーションと、
第２のチューブ状体が略垂直位置にある間に、第２のチューブ状体を第３のチューブ状体に接続する掘削構造に配備されたスタンドアームであって、１次チューブ状体前進ステーションが第１のチューブ状体を井戸中心部へ前進させる間に作動するように構成されて、１次チューブ状体前進ステーションとは独立しているスタンドアームと、
掘削デッキの上方であって、スタンドアームに隣接し、スタンドアームから第２のチューブ状体を保持する第１のチューブ状体ラッキングステーションであって、スタンドアームは第２のチューブ状体を第１のチューブ状体ラッキングステーションに対して直に位置決めするように構成された第１のチューブ状体ラッキングステーションと、
第１のチューブ状体ラッキングステーションと井戸中心部との間で、第２のチューブ状体を動かすように構成されたブリッジラッカークレーンを具えた掘削システム。
【請求項２５】
更に、スタンドアームに隣接して位置した垂直アームに水平な案内経路を具え、第２のチューブ状体を略水平な位置からスタンドアームに隣接した略垂直位置に案内し、
スタンドアームと案内経路アームは、１次チューブ状体前進ステーションが第１のチューブ状体を井戸中心部へ前進させる間に作動し、１次チューブ状体前進ステーションとは独立して作動するように構成された、請求項２４に記載のシステム。
【請求項２６】
スタンドアームは、ブリッジラッカークレーンとは独立して作動可能である、請求項２４に記載のシステム。
【請求項２７】
複数のチューブ状体を掘削デッキからボアホールに動かし、
少なくとも一部は、１次チューブ状体前進ステーションからであり、少なくとも一部は補助チューブ状体取扱いステーションから動かす方法であって、
(a) １次チューブ状体前進ステーション内の井戸中心部を通ってボアホールを掘削する工程と、
(b) １次チューブ状体前進ステーションを用いて、第１のチューブ状体を井戸中心部に動かす工程と、
(c) 工程(a)及び(b)を実行する時間の少なくとも一部中に、
(i) 第２のチューブ状体を動かす工程と、
(ii) 第２のチューブ状体を動かす工程の後に、第２のチューブ状体が略      垂直位置にある間に、第２のチューブ状体を第３のチューブ状体に接続す      る工程と、
(iii) 接続された第２のチューブ状体と第３のチューブ状体を、スタンド      アームにて掘削デッキの上方に上げられたチューブ状体ラッキングステー      ションに持ち上げる工程と、
(iv) 持ち上げた工程の後で、チューブ状体ラッキングステーションを用      いて、接続された第２のチューブ状体と第３のチューブ状体をスタンドア      ームから直に吊す工程とを具え、
工程(c)は工程(a)及び(b)とは独立して実行され、工程(a)及び(b)の一部と同時に実行され、第１のチューブ状体は、工程(a)から(c)中にスタンドアームを邪魔しない方法。
【請求項２８】
第２のチューブ状体を動かす工程、及び第２のチューブ状体を第３のチューブ状体に接続する工程は、略垂直な第１の面内にて実行される
、請求項２７に記載の方法。
【請求項２９】
第２のチューブ状体を動かす工程は、第２の面に略平行な
第１の面内にて第２のチューブ状体を十分に回転させる工程を有し、第１のチューブ状体を掘削デッキを横切って井戸中心部に動かす工程を含む、請求項２７に記載の方法。
【請求項３０】
更に、第１の略水平位置から第２の略水平位置に第２のチューブ状体を持ち上げる工程と、
第２のチューブ状体を、第２の略水平位置から、掘削デッキ内の準備孔と略一直線上にある略垂直位置に案内する工程とを具える、請求項２７に記載の方法。
【請求項３１】
更に、井戸中心部と交差しない案内経路内で、第２のチューブ状体を前記スタンドアームへ動かす工程と、
案内経路内で、第２のチューブ状体を動かした後に、第２のチューブ状体が掘削デッキの下方の略垂直位置にある間に、第２のチューブ状体の一部を低くする工程を含む、請求項２７に記載の方法。
【手続補正２】
【補正対象書類名】明細書
【補正対象項目名】００５７
【補正方法】変更
【補正の内容】
【００５７】
１次チューブ状体前進ステーション(13)は、少なくとも井戸中心部(14)を含んでいる。また、掘削ホイスト、トップドライブ(12)、チューブ状体作製装置(42)、及びチューブ状体を井戸中心部(14)の中に前進させるのに必要な他の装置を、１次チューブ状体前進ステーション(13)に設けることもできる。狭い出入口(mousehole)(32)は井戸中心部(14)から径方向外向きに配置され、井戸中心部(14)とキャリッジ(30)の長手方向中心線との間の線上に、実質上配置されている。キャリッジは、狭い通路(22)の最上部に配備された２本の平行レール(34)上を走行する車輪を有している。レール(34)は、掘削デッキ(16)を横切り、井戸中心部(14)の近傍位置まで延びている。